(57)【要約】【課題】簡単な構造で、錠の錠杆を、蓋に設けたラッチロック機構の係止部に直接的に係合させて錠止し、容器本体の下口部と蓋とにくちばし部を形成した場合には、このくちばし部の内部空間にラッチロック機構と錠とを取り付けて、くちばし部の内部空間を有効に利用すること。【解決手段】容器本体と、容器本体を開閉する蓋１０と、蓋１０側に設けた係止部４１を容器本体側に設けた係止受部に係止することにより、蓋１０を容器本体にロックし閉蓋するようにしたラッチロック機構４０とを備えている。ラッチロック機構４０の近傍位置の蓋１０または容器本体には錠杆６１を有する錠６０を設け、閉蓋状態でラッチロック機構４０が係止状態の場合において、錠６０の施錠方向への作動により、錠杆６１がラッチロック機構４０の係止部４１の係止解除方向への動きを規制して、蓋１０を開放できないようにしてある。【選択図】            図６
2005058295.tif 000002
【特許請求の範囲】
【請求項１】
容器本体と、容器本体の上部開口を開閉する蓋と、蓋側に設けた係止部を容器本体側に設けた係止受部に係止することにより、該蓋を容器本体にロックし閉蓋するようにしたラッチロック機構とを備えてなる液体容器の蓋の施錠装置であって、
前記ラッチロック機構の近傍位置の蓋または容器本体には錠杆を有する錠を設け、閉蓋状態で前記ラッチロック機構が係止状態の場合において、前記錠の施錠方向への作動により、錠杆がラッチロック機構の係止部の係止解除方向への動きを規制して、前記蓋を開放できないようにしたことを特徴とする液体容器の蓋の施錠装置。
【請求項２】
ラッチロック機構は、容器本体の後端部に回動自在に枢支した蓋の枢支部とは反対側の自由端側の蓋に設けられ、かつ外部から操作される１対の係止部つきの押しボタン部と、該１対の押しボタン部間に弾支されたバネとを有し、被蓋時には押しボタン部の係止部を同係止部に対向して容器本体に設けた係止受部に係止し、開蓋時には前記バネの付勢力に抗して押しボタン部を押圧することにより押しボタン部の係止部と係止受部との係止を解除するようにしてあり、
錠は、前記ラッチロック機構近くの蓋に設けられ、かつ鍵穴を有するシリンダーと、該シリンダーに接続された錠杆とを有し、閉蓋状態でラッチロック機構が係止状態の場合において、前記シリンダーに対する施錠方向への作動により、錠杆が、ラッチロック機構の係止部を容器本体の係止受部と係止解除ができないようにして、前記蓋を開放できないようしてある請求項１記載の液体容器の蓋の施錠装置。
【請求項３】
枢支部と反対側の自由端側位置における容器本体の下口部と蓋とは、内部に空間を有するくちばし形状に形成してあり、
前記くちばしの蓋側くちばし部には、ラッチロック機構と錠とを取り付けるための取付孔をそれぞれ横方向に形成し、
ラッチロック機構の取付孔には押しボタン部を嵌装するとともに、該押しボタン部に形成された係止部と前記バネとは蓋側くちばし部の内部空間に臨ませ、前記錠の取付孔には鍵穴を有するシリンダーを嵌装するとともに、該シリンダーに連結された錠杆は前記蓋側くちばし部の内部空間に臨ませ、また被蓋時においてシリンダーに対する施錠方向への作動により、前記錠杆がラッチロック機構の係止部の係止解除方向への動きを規制して、前記蓋を開放できないようしてある請求項２記載の液体容器の蓋の施錠装置。
【請求項４】
ラッチロック機構は、容器本体の後端部に回動自在に枢支した蓋の枢支部とは反対側の自由端側の蓋に設けられ、かつ外部から操作される１対の係止部つきの押しボタン部と、該１対の押しボタン部間に弾支されたバネとを有し、被蓋時には押しボタン部の係止部を同係止部に対向して容器本体に設けた係止受部に係止し、開蓋時には前記バネの付勢力に抗して押しボタン部を押圧することにより押しボタン部の係止部と係止受部との係止を解除するようにしてあり、
錠は、前記蓋に設けられたラッチロック機構に対向するように容器本体の下口部に設けられ、かつ鍵穴を有するシリンダーと、該シリンダーに接続された錠杆とを有し、閉蓋状態でラッチロック機構が係止状態の場合において、前記シリンダーに対する施錠方向への作動により、錠杆が、ラッチロック機構の係止部を容器本体の係止受部と係止解除ができないようにして、前記蓋を開放できないようしてある請求項１記載の液体容器の蓋の施錠装置。
【請求項５】
枢支部と反対側の自由端側位置における容器本体の下口部と蓋とは、内部に空間を有するくちばし形状に形成してあり、
前記くちばしの蓋側くちばし部にはラッチロック機構を取り付けるための取付孔を横方向に形成するとともに、くちばしの下口部くちばし部には錠を取り付けるための取付孔を横方向に形成し、
前記ラッチロック機構の取付孔には押しボタン部を嵌装するとともに、該押しボタン部に形成された係止部と前記バネとは蓋側くちばし部の内部空間に臨ませ、
前記錠の取付孔には鍵穴を有するシリンダーを嵌装するとともに、該シリンダーの後部に設けた錠杆は前記下口部くちばし部の内部空間に臨ませ、また被蓋時においてシリンダーに対する施錠方向への作動により、前記錠杆がラッチロック機構の係止部の係止解除方向への動きを規制して、前記蓋を開放できないようにしてある請求項４記載の液体容器の蓋の施錠装置。
【請求項６】
枢支部と反対側の自由端側位置における容器本体の下口部と蓋とは、内部に空間を有するくちばし形状に形成してあり、
前記くちばしの蓋側くちばし部にはラッチロック機構を取り付けるための取付孔を横方向に形成するとともに、くちばしの下口部くちばし部には錠を取り付けるための取付孔を横方向に形成し、
前記ラッチロック機構の取付孔には押しボタン部を嵌装するとともに、該押しボタン部に形成された係止部と前記バネとは蓋側くちばし部の内部空間に臨ませ、
前記錠の取付孔には鍵穴を有するシリンダーを嵌装するとともに、該シリンダーの後部には前記下口部の他方側壁を貫挿した軸を横方向に設け、この軸端には被蓋時に他方の押しボタン部を隠蔽するカバー状の錠杆を設けており、また被蓋時においてシリンダーに対する施錠方向への作動により、前記錠杆が他方の押しボタン部を隠蔽してラッチロック機構の係止部の解錠方向への動きを規制して、前記蓋を開放できないようしてある請求項４記載の液体容器の蓋の施錠装置。
【請求項７】
容器本体と、容器本体の上部開口を開閉する蓋と、蓋側に設けた係止部を容器本体側に設けた係止受部に係止することにより、該蓋を容器本体にロックし閉蓋するようにしたラッチロック機構とを備え、前記ラッチロック機構は、容器本体の後端部に回動自在に枢支した蓋の枢支部とは反対側の自由端側の蓋に設けられ、かつ外部から操作される１対の係止部つきの押しボタン部と、該１対の押しボタン部間に弾支されたバネとを有し、被蓋時には押しボタン部の係止部を同係止部に対向して容器本体に設けた係止受部に係止し、開蓋時には前記バネの付勢力に抗して押しボタン部を押圧することにより押しボタン部の係止部と係止受部との係止を解除するようにしてある液体容器の蓋の施錠装置であって、
前記１対の押しボタン部のうち一方の押しボタン部には錠を嵌装するとともに、該錠には錠杆を設け、閉蓋状態で前記ラッチロック機構が係止状態の場合において、前記錠の施錠方向への作動により、錠杆が他方の押しボタン部に当接ないし係合してラッチロック機構の係止部の係止解錠方向への動きを規制して、前記蓋を開放できないようにしたことを特徴とする液体容器の蓋の施錠装置。
【請求項８】
容器本体と、容器本体の上部開口を開閉する蓋と、蓋側に設けた係止部を容器本体側に設けた係止受部に係止することにより、該蓋を容器本体にロックし閉蓋するようにしたラッチロック機構とを備え、前記ラッチロック機構は、容器本体の後端部に回動自在に枢支した蓋の枢支部とは反対側の自由端側の蓋に設けられ、かつ外部から操作される１対の係止部つきの押しボタン部と、該１対の押しボタン部間に弾支されたバネとを有し、被蓋時には押しボタン部の係止部を同係止部に対向して容器本体に設けた係止受部に係止し、開蓋時には前記バネの付勢力に抗して押しボタン部を押圧することにより押しボタン部の係止部と係止受部との係止を解除するようにしてある液体容器の蓋の施錠装置であって、
前記１対の押しボタン部のうち一方の押しボタン部には錠を嵌装するとともに、該錠には錠杆を設け、閉蓋状態で前記ラッチロック機構が係止状態の場合において、前記錠の施錠方向への作動により、錠杆が容器本体に設けた本体係合片に当接ないし係合してラッチロック機構の係止部の解錠方向への動きを規制して、前記蓋を開放できないようにしたことを特徴とする液体容器の蓋の施錠装置。
【請求項９】
枢支部と反対側の自由端側位置における容器本体の下口部と蓋とは、内部に空間を有するくちばし形状に形成し、このくちばしの蓋側くちばし部には、ラッチロック機構を取り付けるための取付孔を横方向に形成し、前記ラッチロック機構の取付孔には押しボタン部を嵌装するとともに、該押しボタン部に形成された係止部と前記バネとは蓋側くちばし部の内部空間に臨ませてある請求項７または８に記載の液体容器の蓋の施錠装置。
【発明の詳細な説明】
【０００１】
【発明の属する技術分野】
本発明は、エアーポットや電気ポット等の液体容器の蓋の施錠装置に関する。
【０００２】
【従来の技術】
従来より、この種の蓋つき液体容器において、いたずら等によって、容器本体内に異物や毒物が混入されないようにするため、蓋に錠を取り付けた飲料保存容器が提案されている（例えば特許文献１参照。）。
【０００３】
上記特許文献１（特許第３０２６９５５号公報）の飲料保存容器は、容器本体に開閉自在に取付けた蓋に、容器本体の一部に係脱自在に係合するフックを設け、前記フックの操作レバーに指を掛けるための指挿入凹所を上記蓋に設け、前記指挿入凹所に錠を取り付けるとともに、指挿入凹所をスライド自在のシャッターによりカバーし、鍵の操作により回転される上記錠の錠ロック片を前記操作レバーに係合させることにより、上記蓋を錠止めするようにしたものである。
【０００４】
【特許文献１】
特許第３０２６９５５号公報（第１頁、第３頁、図１〜図４）
【０００５】
【発明が解決しようとする課題】
しかしながら、上記特許文献１の飲料保存容器は、施錠する場合には、閉蓋状態で、シリンダー錠に鍵を挿入して施錠すると、錠ロック片が９０度回動してシャッターの後端面に係合するため、シャッターを後退できず指挿入凹所を開放することができない。従って操作レバーを操作することができず、蓋の施錠状態が保持される。すなわち、シリンダー錠の錠ロック片をシャッターに係合させることにより、シャッター及び操作レバーを介してフックに錠ロック片を間接的に係合させて蓋の施錠状態を保持するものである。
【０００６】
このように、上記従来例のものでは、シャッターや操作レバー等が必要であるばかりか、錠ロック片は上記シャッター等の部材を介してフックに間接的に係合させるものであるため、構造が複雑となるなどの問題点があった。
【０００７】
本発明は、上記従来の問題点を解決し、簡単な構造で、錠の錠杆を、蓋に設けたラッチロック機構の係止部に直接的に係合させて錠止し、さらに容器本体の下口部と蓋とにくちばし部を形成した場合には、このくちばし部の内部空間にラッチロック機構と錠とを取り付けることにより、前記くちばし部の内部空間を有効に利用した液体容器の蓋の施錠装置を提供することを目的とする。
【０００８】
【課題を解決するための手段】
上記目的を達成するため、本発明の液体容器の蓋の施錠装置の基本的構成は、容器本体と、容器本体の上部開口を開閉する蓋と、蓋側に設けた係止部を容器本体側に設けた係止受部に係止することにより、該蓋を容器本体にロックし閉蓋するようにしたラッチロック機構とを備えてなる液体容器の蓋の施錠装置であって、前記ラッチロック機構の近傍位置の蓋または容器本体には錠杆を有する錠を設け、閉蓋状態で前記ラッチロック機構が係止状態の場合において、前記錠の施錠方向への作動により、錠杆がラッチロック機構の係止部の係止解除方向への動きを規制して、前記蓋を開放できないようにしたことを特徴とする（請求項１参照）。
【０００９】
上記の如き簡単な構成により、錠で蓋を開放されないようにすることができ、容器本体内に異物や毒物が混入されるのを防止できる。
ここで、ラッチロック機構と錠の具体的構成は、本発明では上記基本的構成を充足する限り、特に限定しないのであるが、以下の説明や実施の形態例等の説明により明らかになろう。
【００１０】
本発明は、ラッチロック機構は、容器本体の後端部に回動自在に枢支した蓋の枢支部とは反対側の自由端側の蓋に設けられ、かつ外部から操作される１対の係止部つきの押しボタン部と、該１対の押しボタン部間に弾支されたバネとを有し、被蓋時には押しボタン部の係止部を同係止部に対向して容器本体に設けた係止受部に係止し、開蓋時には前記バネの付勢力に抗して押しボタン部を押圧することにより押しボタン部の係止部と係止受部との係止を解除するようにしてあり、錠は、前記ラッチロック機構近くの蓋に設けられ、かつ鍵穴を有するシリンダーと、該シリンダーに接続された錠杆とを有し、閉蓋状態でラッチロック機構が係止状態の場合において、前記シリンダーに対する施錠方向への作動により、錠杆が、ラッチロック機構の係止部を容器本体の係止受部と係止解除ができないようにして、前記蓋を開放できないようにすることもできる（請求項２参照）。
【００１１】
錠を容器本体の肩部材を形成する下口に設けた場合には、該下口に錠取付用の穴を形成する必要があるとともに、該穴より内溶液が洩れないようにシール対策を必要とする。これに対し、本発明の上記構成では、錠がラッチロック機構近くの蓋に設けられているため、前記の如き下口に錠取付用の穴を形成することやシール性を考える必要もない。
【００１２】
本発明は、容器本体と蓋の形状を特に限定しなのであるが、枢支部と反対側の自由端側位置における容器本体の下口部と蓋とは、内部に空間を有するくちばし形状に形成してあり、前記くちばしの蓋側くちばし部には、ラッチロック機構と錠とを取り付けるための取付孔をそれぞれ横方向に形成し、ラッチロック機構の取付孔には押しボタン部を嵌装するとともに、該押しボタン部に形成された係止部と前記バネとは蓋側くちばし部の内部空間に臨ませ、前記錠の取付孔には鍵穴を有するシリンダーを嵌装するとともに、該シリンダーに連結された錠杆は前記蓋側くちばし部の内部空間に臨ませ、また被蓋時においてシリンダーに対する施錠方向への作動により、前記錠杆がラッチロック機構の係止部の係止解除方向への動きを規制して、前記蓋を開放できないようにすることもできる（請求項３参照）。
【００１３】
これにより、容器本体と蓋のくちばし部の内部空間を有効に利用できるなどの利点がある。
本発明は、錠をラッチロック機構に対向するように容器本体の下口部に設けることもできる（請求項４参照）。この場合、枢支部と反対側の自由端側位置における容器本体の下口部と蓋とは、内部に空間を有するくちばし形状に形成してあり、前記くちばしの蓋側くちばし部にはラッチロック機構を取り付けるための取付孔を横方向に形成するとともに、くちばしの下口部くちばし部には錠を取り付けるための取付孔を横方向に形成し、前記ラッチロック機構の取付孔には押しボタン部を嵌装するとともに、該押しボタン部に形成された係止部と前記バネとは蓋側くちばし部の内部空間に臨ませ、前記錠の取付孔には鍵穴を有するシリンダーを嵌装するとともに、該シリンダーの後部に設けた錠杆は前記下口部くちばし部の内部空間に臨ませ、また被蓋時においてシリンダーに対する施錠方向への作動により、前記錠杆がラッチロック機構の係止部の係止解除方向への動きを規制して、前記蓋を開放できないようしてある（請求項５参照）方が好ましい。
【００１４】
また、枢支部と反対側の自由端側位置における容器本体の下口部と蓋とは、内部に空間を有するくちばし形状に形成してあり、前記くちばしの蓋側くちばし部にはラッチロック機構を取り付けるための取付孔を横方向に形成するとともに、くちばしの下口部くちばし部には錠を取り付けるための取付孔を横方向に形成し、前記ラッチロック機構の取付孔には押しボタン部を嵌装するとともに、該押しボタン部に形成された係止部と前記バネとは蓋側くちばし部の内部空間に臨ませ、前記錠の取付孔には鍵穴を有するシリンダーを嵌装するとともに、該シリンダーの後部には前記下口部の他方側壁を貫挿した軸を横方向に設け、この軸端には被蓋時に他方の押しボタン部を隠蔽するカバー状の錠杆を設けており、また被蓋時においてシリンダーに対する施錠方向への作動により、前記錠杆が他方の押しボタン部を隠蔽してラッチロック機構の係止部の解錠方向への動きを規制して、前記蓋を開放できないようしてある（請求項６参照）構成も実施できる。
【００１５】
上記請求項５と請求項６によれば、前記請求項３で説明したように、容器本体と蓋とのくちばし部の内部空間を有効に利用できるなどの利点がある。
【００１６】
本発明は、容器本体と、容器本体の上部開口を開閉する蓋と、蓋側に設けた係止部を容器本体側に設けた係止受部に係止することにより、該蓋を容器本体にロックし閉蓋するようにしたラッチロック機構とを備え、前記ラッチロック機構は、容器本体の後端部に回動自在に枢支した蓋の枢支部とは反対側の自由端側の蓋に設けられ、かつ外部から操作される１対の係止部つきの押しボタン部と、該１対の押しボタン部間に弾支されたバネとを有し、被蓋時には押しボタン部の係止部を同係止部に対向して容器本体に設けた係止受部に係止し、開蓋時には前記バネの付勢力に抗して押しボタン部を押圧することにより押しボタン部の係止部と係止受部との係止を解除するようにしてある液体容器の蓋の施錠装置であって、前記１対の押しボタン部のうち一方の押しボタン部には錠を嵌装するとともに、該錠には錠杆を設け、閉蓋状態で前記ラッチロック機構が係止状態の場合において、前記錠の施錠方向への作動により、錠杆が他方の押しボタン部に当接ないし係合してラッチロック機構の係止部の係止解錠方向への動きを規制して、前記蓋を開放できないようにしたことを特徴とする構成（請求項７参照）を採用することもできる。
また、上記構成のうち、「錠杆が他方の押しボタン部に当接ないし係合して」との構成を「錠杆が容器本体に設けた本体係合片に当接ないし係合して」との構成に置換したものでもよい（請求項８参照）
【００１７】
上記請求項７と請求項８によれば、錠はラッチロック機構の押しボタン部に嵌装するものであるため、錠の取付場所をとらず、錠の錠穴も目立たず看者に不快感を与えない等の利点がある。
【００１８】
また、請求項７と請求項８において、枢支部と反対側の自由端側位置における容器本体の下口部と蓋とは、内部に空間を有するくちばし形状に形成し、このくちばしの蓋側くちばし部には、ラッチロック機構を取り付けるための取付孔を横方向に形成し、前記ラッチロック機構の取付孔には押しボタン部を嵌装するとともに、該押しボタン部に形成された係止部と前記バネとは蓋側くちばし部の内部空間に臨ませてあると、前記請求項３，５，６で説明したように、容器本体と蓋とのくちばし部の内部空間を有効に利用できるなどの利点がある。
【００１９】
以下に、本発明の実施の形態の第１例〜第８例について説明する。すなわち、図１〜図９が第１例、図１０〜図１５が第２例、図１６〜図２０が第３例、図２１〜図２６が第４例、図２７〜図３２が第５例、図３３〜図３５が第６例、図３６〜図３９が第７例、図４０〜図４３が第８例を示す。
【００２０】
【発明の実施の形態１】
本発明の実施の形態の第１例を図１〜図９に基づいて以下に説明する。
この実施の形態の液体容器は、空気圧送式の液体容器が示されている。この空気圧送式の液体容器は、ステンレス鋼板製の内容器１Ａと外容器１Ｂとで真空断熱空間１Ｃを形成してなる容器本体１と、容器本体１の後端部にヒンジ２で弧回動自在に枢支され、かつ容器本体１の上部開口１Ｄを開閉する蓋１０と、蓋１０内に収容されて内容器１Ａ内に加圧空気を送り込むためのベローズ式のエアーポンプ１１と、エアーポンプ１１の作動により内容器１Ａの内容液を器体の外部へ注出するようにした一連の液通路２０と、器体を持ち運ぶための把手３とを備えている。
【００２１】
容器本体１は、外容器１Ｂの胴部１ｂの上端部に載設して接続した下口部（肩部）４と、該胴部１ｂの下端部に接続した底体５とを備えている。前記下口部４は、容器本体１の上部にネジ６で固定してあるとともに、該下口部４の中央部には給液口となる開口４ａが形成されている。
【００２２】
蓋１０は、容器本体１の後端部の上部に形成したヒンジ受部２ａに、該蓋１０の後端部の下部に形成したヒンジ部２ｂをヒンジピン２ｃで回動自在に枢着してある。この蓋１０の内部空間１０ａにベローズ式のエアーポンプ１１が収容されている。また、この蓋１０は、前記枢支部とは反対側の自由端側、つまりくちばし部１３には、蓋１０側に設けた係止部４１を容器本体１側に設けた係止受部７に係止することにより、該蓋１０を容器本体１にロックし閉蓋するようにしたラッチロック機構４０とを備えている。
【００２３】
ラッチロック機構４０は、詳細は後述するが、外部から操作される１対の係止部４１つきの押しボタン部４２と、該１対の押しボタン部４２、４２間に弾支されたバネ４３とを有し、被蓋時には押しボタン部４２の係止部４１を同係止部４１に対向して容器本体１に設けた係止受部７に係止し、開蓋時には前記バネ４３の付勢力に抗して押しボタン部４２を押圧することにより押しボタン部４２の係止部４１と係止受部７との係止を解除するようにしてある。
【００２４】
液通路２０は、内部に液通路２２を有する栓体２１と、栓体２１の下部に縦向きに取付けた揚水管２３と、栓体２１の上部に横向きに取り付けた注出管２４と、注出管２４の先端に取付けた吐出管２５とで構成されている。
この液通路２０を構成する栓体２１、揚水管２３，注出管２４及び吐出管２５をセットした状態で、栓体２１は下口部４の開口４ａ及び容器本体１の上部開口１Ｄに出し入れ自在に嵌挿される。
【００２５】
容器本体１の上部開口１Ｄ及び下口部４の開口４ａを蓋１０で閉鎖した閉蓋状態において、押し板１２を押圧すると、エアーポンプ１１よりの加圧空気が栓体２１内の空気通路２６を通って内容器１Ａ内に吹き込まれる。この吹き込まれた加圧空気によって、内容器１Ａ内の内容液は揚水管２３，液通路２２，注出管２４を経て吐出管２５より外部へ注出されるようにしてある。
【００２６】
以上の構成において、本発明の基本的構成は、前記ラッチロック機構４０の近傍位置の蓋１０または容器本体１には錠杆６１を有する錠６０を設け、閉蓋状態で前記ラッチロック機構４０が係止状態の場合において、前記錠６０の施錠方向への作動により、錠杆６１がラッチロック機構４０の係止部４１の解錠方向への動きを規制して、前記蓋１０を開放できないようにしたことを特徴とする液体容器の蓋の施錠装置に関する。これにより、蓋１０が特定の者しか開けられないようにするものである。
【００２７】
このラッチロック機構４０と錠６０について、本実施形態をより具体的に以下に詳説する。
ところで、枢支部と反対側の自由端側位置における容器本体１の下口部４と蓋１０とは、内部に空間１０ａを有するくちばし形状に形成してある。このくちばしの蓋側くちばし部１３には、ラッチロック機構４０と錠６０とを取り付けるための取付孔１４、１５をそれぞれ横方向に近接して形成している。
ラッチロック機構４０の取付孔１４には、係止部４１つきの１対の押しボタン部４２を嵌装するとともに、該１対の押しボタン部４２、４２間にはバネ４３が弾支されている。そして押しボタン部４２に形成された係止部４１と前記バネ４３とは蓋側くちばし部１３の内部空間１０ａに臨ませている。一方、前記錠６０の取付孔１５には鍵穴６３を有するシリンダー６２を嵌装するとともに、該シリンダー６２に連結された錠杆６１は前記蓋側くちばし部１３の内部空間１０ａに臨ませてある。また被蓋時においてシリンダー６２に対する施錠方向への作動により、前記錠杆６１がラッチロック機構４０の係止部４１の解錠方向への動きを規制して、前記蓋１０を開放できないようしてある。
【００２８】
錠６０として、本実施形態では、公知のシリンダー錠を採用しているが、その構造については特に限定しない。例えば、図９に示すように、鍵穴６３と下ピン６４ｂを嵌装した下ピン孔６４ａとを有する内筒６４と、上ピン６５ｂおよび上ピンばね６５ｃを嵌挿した上ピン孔６５ａを有する外筒６５と、内筒６４の先端に直接又は間接に設けた錠杆６１とを有するものでもよく、その他の構成でもよい。なお、図３、図６、図９で６６は鍵である。
【００２９】
第１実施形態の作用について以下に説明する。
開蓋状態から蓋１０を閉めると、ラッチロック機構４０の係止部４１の下端部は傾斜面４１ａとなるため、この傾斜面４１ａが、下口部くちばし部８に形成された係止受部７（凹部）の上端縁の傾斜面７ａをガイド面として、該係止部４１はバネ４３の付勢力に抗して係止部４１（押しボタン部４２）を一旦収縮方向に移動されてから係止受部７に自動的に係止される（図１、図５、図７参照）。
【００３０】
上記閉蓋状態から蓋１０を開放する場合には、ラッチロック機構４０の１対の押しボタン部４２、４２を人間の指でバネ４３の付勢力に抗して収縮方向に押圧すると、係止部４１が係止受部７より係止解除されるので、蓋１０を自由に開けることができる（図７参照）。
【００３１】
閉蓋状態でラッチロック機構４０が係止状態の場合において、錠６０つまりシリンダー６２の鍵穴６３に合鍵である鍵６６を差し込み施錠方向に回動すると、錠６０の錠杆６１が、図１、図４〜図６、図８に示すように、ラッチロック機構４０の係止部４１、４１同士間に入って、押しボタン部４２、４２を手で押そうとしても、前記錠杆６１に、係止部４１が当接するため、該係止部４１を係止受部７より係止解除することができず、蓋１０は勝手に開けることができない。
【００３２】
上記錠６０による施錠状態から解錠して開蓋する場合には、錠６０（シリンダー６２）の鍵穴６３に鍵６６を差し込み解錠方向に回動すると、錠杆６１が、図６の鎖線で示すように、押しボタン部４２、４２の係止部４１、４１同士から離間し、図７に示すようになって、押しボタン部４２の係止部４１と係止受部７の係止離脱が支障なく行える。そこで、閉蓋状態から蓋１０を開放する場合として、前述したように押しボタン部４２、４２を人間の手で押圧すると係止部４１が係止受部７より係止解除されて、蓋１０が自由に解放される。
【００３３】
【発明の実施の形態２】
本発明の実施の形態の第２例を図１０〜図１５に基づいて以下に説明する。
この第２実施形態のものは、ラッチロック機構４０と錠６０とを蓋側くちばし部１３に設けてある点で、前記第１実施形態のものと共通する。しかし、この第２実施形態の錠６０は、第１実施形態のものと少し異なる構成としている。それ以外の構成は第１実施形態のものと同様としているので、詳細は第１実施形態の説明を参照するとよい。
【００３４】
この場合の錠６０は、第１実施形態の錠６０と同様に、鍵穴６３を有するシリンダー６２と該シリンダー６２の先端に接続された錠杆６１とを有する点で共通するが、この実施形態の錠杆６１は一端側に円弧状の切欠き部６１ａを形成している点に特徴を有する。
【００３５】
この切欠き部６１ａを有することにより、閉蓋状態でラッチロック機構４０が係止状態の場合において、前記シリンダー６２に対する施錠方向への作動（つまり鍵穴６３に錠６６を差し込み施錠方向へ回動すること）で、錠杆６１の切欠き部６１ａの外周縁部が、係止部の軸部４１ｂに近接ないし当接する。従って、不正解錠者が解錠しようとしてラッチロック機構４０の押しボタン部４２を圧縮しても、前記切欠き部６１ａの外周縁部が押しボタン部４２（係止部の軸部４１ｂ）の没入を規制するので、ラッチロック機構４０の係止部４１を容器本体１の係止受部７との係止を解除することができず、蓋１０を開放することができない（図１１、図１２、図１５の仮想線参照）。施錠時において、錠杆６１の切欠き部６１ａはバネ４３に当たらないように形成してある。
【００３６】
上記施錠状態から解錠して開蓋する場合には、シリンダー６２の鍵穴６３に鍵６６を差し込み解錠方向に回動すると、錠杆６１は、図１３、図１４、図１５の実線で示すように、錠杆６１の切欠き部６１ａ側は上方へ回動してラッチロック機構４０の係止部の軸部４１ｂから離脱し、押しボタン部４２の係止部４１と容器本体１の係止受部７との係合離脱が支障なく行える。そこで、押しボタン部４２、４２を人間の手で押圧することにより前記係止部４１が係止受部７より係止解除され蓋１０が解放される。
【００３７】
【発明の実施の形態３】
本発明の実施の形態の第３例を図１６〜図２０に基づいて以下に説明する。
この第３実施形態のものは、ラッチロック機構４０と錠６０とを蓋側くちばし部１３に設けてある点で、前記第１、第２の実施形態のものと共通する。しかし、第３実施形態の錠６０の構成及び取付位置は、第１、第２の実施形態とは異なる。それ以外の構成は第１実施形態のものと同様としているので、詳細は第１実施形態の説明を参照するとよい。
【００３８】
この場合の錠６０は、蓋側くちばし部１３の上面においてラッチロック機構４０の垂直線上位置に嵌装している。すなわち、蓋側くちばし部１３の上面のラッチロック機構４０と直交する垂直線上には、錠６０を嵌挿するための取付孔１５が形成されており、この取付孔１５にガイド筒１６を落し込み状に嵌装している。このガイド筒１６に上方から公知のシリンダー錠である錠６０のシリンダー６２を嵌装するとともに、下方から図１７で断面コ字状の錠杆６１を該シリンダー６２の底部に連結してある。このコ字状の錠杆６１の両側壁の下部には、それぞれＵ字状の切欠き６１ｂ、６１ｂを形成し、施錠状態時に錠杆６１がバネ４３に当たらないようにしている。
【００３９】
ラッチロック機構４０は、第１、第２の実施形態と同様に、蓋側くちばし部１３の両側壁間に横方向から嵌装されている。
【００４０】
また、前記シリンダー６２には、図示しないがバネが内蔵されており、このバネの力により、解錠状態時には閉蓋状態でも、図１７及び図１８に示すように、シリンダー６２は上方へ突出するため錠杆６１も上動している。それゆえ、左右の押しボタン部４２、４２は自由に伸縮方向に作動できるが、該押しボタン部４２、４２を圧縮方向に押すことにより、係止部４１と係止受部７との係止解除ができ蓋１０が開放できる。
【００４１】
図１７に示す如く、閉蓋状態でラッチロック機構４０が係止状態の場合において、シリンダー６２の鍵穴６３に鍵６６を差し込み施錠方向に回動するとともに、該シリンダー６２を押し込むと、図１９及び図２０に示すように、錠杆６１の両側壁の切欠き６１ｂ、６１ｂの上縁周辺部６１ｃ、６１ｃが左右の押しボタン部４２、４２間の隙間に嵌合されて、該上縁周辺部６１ｃ、６１ｃは各押しボタン部４２、４２の係止部の軸部４１ｂに当接される。そのため、両押しボタン部４２、４２を圧縮（没入）方向に押すことができないため、ラッチロック機構４０の係止部４１を容器本体１の係止受部７より係止解除することができず、蓋１０を開放することができない。
【００４２】
上記施錠状態から解錠して開蓋する場合には、図１９で示す状態のシリンダー６２の鍵穴６３に鍵６６を差し込み解錠方向に回動すると、シリンダー６２に内蔵されているバネ（図示せず）の作用により、図１７及び図１８に示すように、シリンダー６２及び錠杆６１は上動して、錠杆６１の下端部（切欠き部６１ｂの周縁部）はラッチロック機構４０の係止部の軸部４１ｂ、４１ｂ同士間に形成された隙間４４から離脱し、ラッチロック機構４０の押しボタン部４２、４２の伸縮を妨げるものはなくなる。その結果、押しボタン部４２、４２を人間の手で押圧することにより、前記係止部４１が係止受部７より係止解除され蓋１０が解放される。
【００４３】
この第３実施形態の液体容器の蓋の施錠装置によれば、錠６０は蓋側くちばし部１３の広いスペースの上面に取り付けるものであるため、組み立てし易い。また両押しボタン部４２、４２は断面コ字状の錠杆６１を採用しているので、施錠時には前記断面コ字状の錠杆６１に左右の押しボタン部４２、４２が係止される結果、左右の押しボタン部４２、４２が左右均等に固定できるし、錠杆６１の両側壁の切欠き部６１ｂ、６１ｂの上縁周辺部６１ｃ、６１ｃが、左右押しボタン部４２、４２間の隙間４４を形成する係止部の軸部４１ｂに対して面接触するため、左右の係止部４１、４１が傾かない利点がある。
【００４４】
【発明の実施の形態４】
本発明の実施の形態の第４例を図２１〜図２６に基づいて以下に説明する。
この第４実施形態のものは、錠６０を下口部４の下口部くちばし部８に設けている点で、前記第１〜第３の実施形態のものと異なる。それ以外の構成は前記実施形態のものと同様としているので、詳細は同各実施形態の説明を参照するとよい。
【００４５】
この場合の錠６０は、蓋１０に設けられたラッチロック機構４０に対向するように、容器本体１の下口部４の下口部くちばし部８に設けてある。すなわち、下口部くちばし部８には錠６０を取り付けるための取付孔９を横方向に形成している。この取付孔９には鍵穴６３を有するシリンダー６２を嵌装するとともに、該シリンダー６２の後部には板状の錠杆６１を連結し、該錠杆６１を前記下口部くちばし部８の内部空間８ａに臨ませている。また、閉蓋状態でラッチロック機構４０が係止状態の場合において、シリンダー６２に対する施錠方向への作動により、錠杆６１がラッチロック機構４０の係止部４１を、容器本体１の係止受部７と係止解除できないように解錠方向への動きを規制して、前記蓋を開放できないようしてある。
【００４６】
閉蓋状態でラッチロック機構４０が係止状態の場合において、シリンダー６２の鍵穴６３に鍵６６を差し込み施錠方向に回動すると、錠杆６１が、図２１の実線、図２２、図２３に示すように、ラッチロック機構４０の片側の係止部４１の内側に当接ないし近接するため、左右の押しボタン部４２、４２を人間の手で押そうとしても、前記係止部４１を係止受部７より係止解除することができず、蓋１０は勝手に開けることができない。
【００４７】
上記施錠状態から解錠して開蓋する場合には、錠６０（シリンダー６２）の鍵穴６３に鍵６６を差し込み解錠方向に回動すると、錠杆６１が、図２１の鎖線で示すように、押しボタン部４２、４２の係止部４１、４１同士間から離間し、係止部４１と係止受部７の係合離脱が支障なく行えるので、蓋１０が開放できる。
【００４８】
なお、図２５で、６７はホルダー、６８はパッキンである。
【００４９】
【発明の実施の形態５】
本発明の実施の形態の第５例を図２７〜図３２に基づいて以下に説明する。
この第５実施形態のものは、錠６０を下口部４の下口部くちばし部８に設けている点で、前記第４の実施形態のものと共通するが、両者の錠６０の構成は異なる。錠６０以外の構成は前記各実施形態のものと同様としているので、詳細は各実施形態の説明を参照するとよい。
【００５０】
この場合の錠６０も、第４実施形態の錠６０と同様に、下口部４の下口部くちばし部８に設けているが、その錠６０自体の構成及び取付の仕方は異なっている。すなわち、この第５実施形態では、下口部くちばし部８の左右側壁８ｂ、８ｃには横方向に取付孔９ａ、９ｂを形成し、取付孔９ａには鍵穴６３を有するシリンダー６２を嵌装するとともに、該シリンダー６２の後部には軸６９が連結してある。この軸６９は、先端部を取付孔９ｂに挿通してあるとともに、軸端には被蓋時に他方の押しボタン部４２を隠蔽するためのカバー状の錠杆６１が連結してある（図２８、図２９参照）。なお、前記軸６９は下口部くちばし部８の内部空間８ａに臨ませてある。
【００５１】
また、閉蓋状態でラッチロック機構４０が係止状態の場合において、前記シリンダー６２に対する施錠方向への作動により、錠杆６１が他方の押しボタン部４２を隠蔽してラッチロック機構４０の係止部４１を、容器本体１の係止受部７と係止解除できないように解錠方向への動きを規制して、前記蓋を開放できないようにしてある。
【００５２】
閉蓋状態でラッチロック機構４０が係止状態の場合において、シリンダー６２の鍵穴６３に鍵６６を差し込み施錠方向に回動すると、錠杆６１は軸６９を介して回動されて、図２８の実線、図２９に示すように、ラッチロック機構４０の他方側の押しボタン部４２が隠蔽されて、該押しボタン部４２を人間の手で没入方向に押すことができない。そのため、一方側の押しボタン部４２を押して係止部４１と係止受部７との係止解除ができても、前記他方側の押しボタン部４２側の係止部４１は他方側の係止受部７との係止を解除できないことから、蓋１０を解放することができない。
【００５３】
上記施錠状態から解錠して開蓋する場合には、シリンダー６２の鍵穴６３に鍵６６を差し込み解錠方向に回動すると、錠杆６１が、図２８の鎖線で示すように、軸６９を介して解錠方向に回動されて、左右の押しボタン部４２、４２が押圧可能な露出状態で解錠状態となる。そこで、左右の押しボタン部４２、４２を没入方向へ押圧することにより、係止部４１と係止受部７との係合離脱が支障なく行えるので、蓋１０が開放される。
【００５４】
【発明の実施の形態６】
本発明の実施の形態の第６例を図３３〜図３５に基づいて以下に説明する。
この第６実施形態のものは、第７、第８の実施形態のものと同様に、蓋１０（蓋側くちばし部１３）に設けたラッチロック機構４０の片側の押しボタン部４２に、錠６０のシリンダー６２を組み込んでなる点に特徴を有し、錠６０及びラッチロック機構４０を除くその他の構成は前記各実施形態のものと同様としているので、詳細は各実施形態の説明を参照するとよい。
【００５５】
この場合のラッチロック機構４０の１対の押しボタン部４２、４２のうち一方の押しボタン部４２は、後部（内側）に係止部４１を垂設した筒体４５とし、該筒体４５の長手方向に貫通孔４６を形成してあり、この貫通孔４６に鍵穴６３を有するシリンダー６２を嵌装してある。前記シリンダー６２には断面がコ字状部材４７を圧入嵌合等により嵌合するとともに、該コ字状部材４７の後端部には一部分を折り曲げた板状の錠杆６１を延設してある。
【００５６】
他方の押しボタン部４２は、前部の外面４２ａ（図３３で左面）を無孔とするとともに、該外面４２ａの内壁面より後部（図３３で右側部分）に向けて嵌入孔４８を形成した有底筒状の筒体４９とし、この筒体４９の後部に係止部４１を垂設してある。
【００５７】
前記両押しボタン部４２、４２の対向する後部には、コイルバネ等のバネ４３を弾支するバネ受部４２ｃ、４２ｃが形成され、このバネ受部４２ｃ、４２ｃ間にバネ４３を設けて、両押しボタン部４２、４２を常時には外方へ突出するように付勢している。
【００５８】
図３３に示すように、閉蓋状態でラッチロック機構４０が係止状態の場合において、シリンダー６２の鍵穴６３に鍵を差し込み施錠方向に例えば９０度回動すると、錠６０の錠杆６１の先端部が、図３５に示すように、他方の押しボタン部４２の嵌入孔４８に対して直交（当接ないし係合）するため、左右の押しボタン部４２、４２を人間の手で押そうとしても、ラッチロック機構４０の係止部４１、４１の解錠方向への動きが規制され、該係止部４１を係止受部７より係止解除することができず、蓋１０は勝手に開けることができない。
【００５９】
上記錠６０による施錠状態から解錠して開蓋する場合には、シリンダー６２の鍵穴６３に鍵を差し込み解錠方向に例えば９０度回動すると、錠杆６１の先端部は、図３３、図３４に示すように、他方の押しボタン部４２の嵌入孔４８に嵌入できるため、左右の押しボタン部４２、４２を手で押圧することにより、それぞれ係止部４１が係止受部７により係止解除されて、蓋１０が自由に開放される。
【００６０】
【発明の実施の形態７】
本発明の実施の形態の第７例を図３６〜図３９に基づいて以下に説明する。
この第７実施形態のものは、一方の押しボタン部４２に嵌装した錠６０に設けた錠杆６１と、他方の押しボタン部４２とが、第６実施形態のものと異なり、その他の構成は第６実施形態のものと同様としてある。
【００６１】
すなわち、第７実施形態の錠杆６１は、図３６に示すように、縦板部６１Ａと横板部６１ＢとからなるＬ字状の板で構成し、その縦板部６１Ａを一方の押しボタン部４２に嵌合されたコ字状部材４７に連結してある。
【００６２】
他方の押しボタン部４２は、外形が図３３のものと概略類似しているが、この実施形態（図３６参照）では筒体４９の空室に環状の穴を形成し、この環状穴５０と前記錠杆６１の縦板部６１Ａとの間にコイルバネ等のバネ４３を設けて、両押しボタン部４２、４２を常時には外方へ突出するように付勢している。
【００６３】
閉蓋状態でラッチロック機構４０が係止状態の場合において、シリンダー６２の鍵穴６３に鍵６６を差し込み施錠方向に例えば９０度回動すると（図３９参照）、錠６０の錠杆６１の先端部が、図３６及び図３７の実線で示すように、他方の押しボタン部４２の係止部４１の上部に当接するため、左右の押しボタン部４２、４２を人間の手で押そうとしても、左右の押しボタン部４２、４２を没入方向に押すことができず、つまりラッチロック機構４０の係止部４１、４１の解錠方向への動きが規制される。その結果、該係止部４１を係止受部７より係止解錠することができず、蓋１０は開けることができない。
【００６４】
上記錠６０による施錠状態から解錠して開蓋する場合には、シリンダー６２の鍵穴６３に鍵６６を差し込み解錠方向に例えば９０度回動すると（図３８参照）、錠杆６１の先端部は、図３７の鎖線に示すように、他方の押しボタン部４２の外郭線より外方へ逃げるため、左右の押しボタン部４２、４２を没入方向に押すのに干渉するものがなくなる。従って、左右押しボタン部４２、４２を没入方向へ押圧することにより、それぞれ係止部４１が係止受部７より係止解除されて、蓋１０が自由に開放される。
【００６５】
上記第６、第７の実施形態によれば、押しボタン部４２の金型を既存のものより少し変更するだけで製造できるため、簡単な構造で生産コストを安価にできる。また押しボタン部４２にシリンダー６２を内蔵するものであるため、シンプルで外観上も良い。
【００６６】
【発明の実施の形態８】
本発明の実施の形態の第８例を図４０〜図４３に基づいて以下に説明する。
この第８実施形態のものは、第７実施形態のものと比べて、一方の押しボタン部４２側に設けた錠杆６１と、この錠杆６１が係脱するものとが異なり、その他の構成は同様としてある。
【００６７】
すなわち、第８実施形態の錠杆６１は、図４０及び図４１に示すように屈曲板状のもので構成し、該錠杆６１の上端部を一方の押しボタン部４２に嵌合されたコ字状部材４７に連結してある。
【００６８】
一方、容器本体１（下口部４）には本体係合片３０を突設してある。そして、閉蓋状態で前記ラッチロック機構４０が係止状態の場合において、前記錠６０（つまりシリンダー６２）の施錠方向への作動により、錠杆６１が容器本体１（下口部４）に設けた本体係合片３０に当接ないし係合してラッチロック機構４０の係止部４１の解錠方向への動きを規制して、前記蓋１０を開放できないようにしてある（図４０、図４１参照）。
【００６９】
閉蓋状態でラッチロック機構４０が係止状態の場合において、シリンダー６２の鍵穴６３に鍵６６を差し込み施錠方向に回動すると（図４２参照）、錠６０の錠杆６１の先端部が、図４０及び図４１の実線で示すように、容器本体１（下口部４）に突設した本体係合片３０に係合するため、左右の押しボタン部４２、４２を人間の手で押そうとしても、左右の押しボタン部４２、４２を没入方向に押すことができず、つまりラッチロック機構４０の係止部４１、４１の解錠方向への動きが規制される。その結果、該係止部４１を係止受部７より係止解錠することができず、蓋１０は開けることができない。
【００７０】
上記錠６０による施錠状態から解錠して開蓋する場合には、シリンダー６２の鍵穴６３に鍵６６を差し込み解錠方向に回動すると（図４３参照）、錠杆６１の先端部は、図４１の鎖線に示すように、容器本体１（下口部４）に突設した本体係合片３０より係合離脱するため、左右の押しボタン部４２、４２を没入方向に押すのに干渉するものがなくなる。従って、左右の押しボタン部４２、４２を没入方向へ押圧することにより、それぞれ係止部４１が係止受部７により係止解除されて、蓋１０が自由に開放される。
【００７１】
上記第８の実施形態によれば、押しボタン部４２の金型を既存のものより少し変更すると共に、本体１（下口部４）に本体係合片３０を設けるだけで製造できるため、簡単な構造で生産コストを安価にできる。また押しボタン部４２にシリンダー６２を内蔵するものであるため、シンプルで外観上も良い。
【００７２】
【変形例】
錠６０に設けた錠杆６１として、第１、第２、第４の実施形態ではそれぞれ１本の錠杆６１を採用しているが、左右に２本を設けて、施錠時には左右の係止部４１、４１を係止解除方向へ作動されないよに規制する構成も実施できる。
【００７３】
上記各実施形態は、いずれもエアーポットに関して説明したが、電気ポット、器体を傾けて注液する通常の魔法瓶等の液体容器についても適用することができる。
【００７４】
【発明の効果】
請求項１の液体容器の蓋の施錠装置によれば、簡単な構造で、錠の錠杆を、蓋に設けたラッチロック機構の係止部に直接的に係合させて錠止し、蓋が開放されないようにすることができ、容器本体内に異物や毒物が混入されるのを防止できる。
【００７５】
請求項２の液体容器の蓋の施錠装置によれば、上記請求項１の効果に加えて、錠はラッチロック機構近くの蓋に設けられるので、器体が転倒した際に内容液が洩れる心配を必要としない。
【００７６】
請求項３の液体容器の蓋の施錠装置によれば、上記請求項２の効果に加えて、容器本体の下口部と蓋とのくちばし部の内部空間を有効に利用できるばかりか、錠杆やシリンダーの殆ど全部が前記内部空間に収納されているので、外観的に優れ汚れからも保護されるなどの効果を有する。
【００７７】
請求項４の液体容器の蓋の施錠装置によれば、上記請求項１の効果に加えて、錠が容器本体の下口部に設けてあるので、蓋を容器本体から取り外して丸洗いしても、錠が濡れるのを防止できる。
【００７８】
請求項５の液体容器の蓋の施錠装置によれば、上記請求項４の効果に加えて、容器本体の下口部と蓋とのくちばし部の内部空間を有効に利用できるばかりか、錠杆やシリンダーの殆ど全部が前記内部空間に収納されているので、外観的に優れ汚れからも保護されるなどの効果を有する。
【００７９】
請求項６の液体容器の蓋の施錠装置によれば、請求項５と同様の効果を有する。
【００８０】
請求項７又は８の液体容器の蓋の施錠装置によれば、錠はラッチロック機構の押しボタン部に嵌挿するものであるため、錠の取付場所をとらず、錠の鍵穴も目立たず看者に不快感を与えない等の利点がある。
【００８１】
請求項９の液体容器の蓋の施錠装置によれば、容器本体の下口部と蓋とのくちばし部の内部空間を有効に利用できるばかりか、錠杆やシリンダーの殆ど全部が前記内部空間に収納されているので、外観的に優れ汚れからも保護されるなどの効果を有する。
【図面の簡単な説明】
【図１】本発明の実施の形態１の縦断面図である。
【図２】本発明の実施の形態１の正面図である。
【図３】本発明の実施の形態１の右側面図である。
【図４】本発明の実施の形態１の平面図である。
【図５】図２の要部縦断面図である。
【図６】要部の斜視図である。
【図７】解錠状態を示す一部縦断面図である。
【図８】施錠状態を示す一部縦断面図である。
【図９】シリンダーの一例と鍵の関係を示す縦断面図である。
【図１０】本発明の実施の形態２の一部を示した右側面図である。
【図１１】施錠状態の錠とラッチロック機構を示した部分断面底面図である。
【図１２】図１１の右側面図である。
【図１３】解錠状態の錠とラッチロック機構を示した部分断面底面図である。
【図１４】図１３の右側面図である。
【図１５】シリンダーと錠杆を示す斜視図である。
【図１６】本発明の実施の形態３の要部平面図である。
【図１７】図１６のＡ−Ａ線断面図である。
【図１８】図１７で示したラッチロック機構と錠とを側面から示した説明図である。
【図１９】図１７のシリンダーを押し込んだ状態を示した図１７と同様の断面図である。
【図２０】図１９で示したラッチロック機構と錠とを側面から見た説明図である。
【図２１】本発明の実施の形態４の縦断面図である。
【図２２】図２１の要部縦断面である。
【図２３】右側面図である。
【図２４】平面図である。
【図２５】底面図である。
【図２６】底面図である。
【図２７】本発明の実施の形態５の縦断面図である。
【図２８】一部の左側面図である。
【図２９】図２８のＢ−Ｂ線断面図である。
【図３０】底面図である。
【図３１】右側面図である。
【図３２】図３０の水平断面図である。
【図３３】本発明の実施の形態６の縦断面図である。
【図３４】解錠状態における錠杆の先端と押しボタン部との関係を示す断面図である。
【図３５】施錠状態における錠杆の先端と押しボタン部との関係を示す断面図である。
【図３６】本発明の実施の形態７の縦断面図である。
【図３７】図３６における他方側の押しボタン部と錠杆との関係を示した説明図である。
【図３８】解錠状態における鍵の位置を示す説明図である。
【図３９】施錠状態における鍵の位置を示す説明図である。
【図４０】本発明の実施の形態８の縦断面図である。
【図４１】図４０で示した一方側の押しボタン部と錠杆と本体を左方向から見た説明図である。
【図４２】施錠状態における鍵の位置を示す説明図である。
【図４３】解錠状態における鍵の位置を示す説明図である。
【符号の説明】
１      容器本体
４      下口部
７      係止受部
８      下口部くちばし部
８ａ    内部空間
９      取付穴
１０    蓋
１０ａ  内部空間
１１    エアーポンプ
１３    蓋側くちばし部
１４    取付孔
１５    取付孔
２０    液通路
２１    栓体
２５    吐出管
３０    本体係合片
４０    ラッチロック機構
４１    係止部
４２    押しボタン部
４３    バネ
６０    錠
６１    錠杆
６２    シリンダー
６３    鍵穴
６６    鍵
【図１】
2005058295.tif 000003
【図２】
2005058295.tif 000004
【図３】
2005058295.tif 000005
【図４】
2005058295.tif 000006
【図５】
2005058295.tif 000007
【図６】
2005058295.tif 000008
【図７】
2005058295.tif 000009
【図８】
2005058295.tif 000010
【図９】
2005058295.tif 000011
【図１０】
2005058295.tif 000012
【図１１】
2005058295.tif 000013
【図１２】
2005058295.tif 000014
【図１３】
2005058295.tif 000015
【図１４】
2005058295.tif 000016
【図１５】
2005058295.tif 000017
【図１６】
2005058295.tif 000018
【図１７】
2005058295.tif 000019
【図１８】
2005058295.tif 000020
【図１９】
2005058295.tif 000021
【図２０】
2005058295.tif 000022
【図２１】
2005058295.tif 000023
【図２２】
2005058295.tif 000024
【図２３】
2005058295.tif 000025
【図２４】
2005058295.tif 000026
【図２５】
2005058295.tif 000027
【図２６】
2005058295.tif 000028
【図２７】
2005058295.tif 000029
【図２８】
2005058295.tif 000030
【図２９】
2005058295.tif 000031
【図３０】
2005058295.tif 000032
【図３１】
2005058295.tif 000033
【図３２】
2005058295.tif 000034
【図３３】
2005058295.tif 000035
【図３４】
2005058295.tif 000036
【図３５】
2005058295.tif 000037
【図３６】
2005058295.tif 000038
【図３７】
2005058295.tif 000039
【図３８】
2005058295.tif 000040
【図３９】
2005058295.tif 000041
【図４０】
2005058295.tif 000042
【図４１】
2005058295.tif 000043
【図４２】
2005058295.tif 000044
【図４３】
2005058295.tif 000045